(57)【要約】  本通信端末は通信モジュールと制御装置とを含む。通信モジュールはインタフェースを通じて他の通信端末と通信を行う。制御装置は、通信モジュールを介して参加通信端末との接続を確立し、再生すべきマルチメディアファイルを示す再生リストを保持し、参加通信端末に格納されている参加者のマルチメディアファイルに対応する識別子を参加通信端末から受信し、参加者のマルチメディアファイル識別子を再生リストに追加し、少なくとも１つの基準に従って自動的にこの再生リストの優先順位を決定し、その後、参加者の再生用マルチメディアファイルを参加通信端末から取り出すステップを含む、再生リストによって示されるマルチメディアファイルの再生を実行する。
2009540638.tif 000002
【特許請求の範囲】
【請求項１】
通信端末であって、
通信インタフェースを介して他の通信端末と通信を行う通信モジュールと、
前記通信モジュールを介して参加通信端末と接続を確立し、再生すべきマルチメディアファイルを示す再生リストを保持し、前記参加通信端末に常駐している参加者のマルチメディアファイルを特定する参加者のマルチメディアファイル識別子を前記参加通信端末から受信し、前記参加者のマルチメディアファイル識別子を再生リストに追加し、少なくとも１つの基準に従って自動的に前記再生リストの優先順位を決定し、その後、再生を行うために前記参加者のマルチメディアファイルを前記参加通信端末から取り出すとともに、前記再生リストによって示される前記マルチメディアファイルの再生を実行する制御装置と、
を備えることを特徴とする通信端末。
【請求項２】
前記制御装置は、前記マルチメディアファイルの中に含まれているメタデータに基づいて自動的に前記再生リストの優先順位を決定することを特徴とする請求項１に記載の通信端末。
【請求項３】
前記制御装置は、作成された日付、ファイル形式、ファイルサイズ、コンテンツの格付け情報、又は前記再生リスト内のマルチメディアファイルリストに関連づけられたジャンルの比較に基づいて、自動的に前記再生リストの優先順位を決定することを特徴とする請求項２に記載の通信端末。
【請求項４】
前記制御装置は、前記マルチメディアファイルの速さに基づいて自動的に前記再生リストの優先順位を決定することを特徴とする請求項１乃至３の何れか１項に記載の通信端末。
【請求項５】
前記制御装置は、前記参加通信端末のユーザの識別子に基づいて自動的に前記再生リストの優先順位を決定することを特徴とする請求項１乃至４の何れか１項に記載の通信端末。
【請求項６】
前記制御装置によってアクセス可能であるとともに、前記参加通信端末の前記ユーザの格付け情報を保存するデータベースをさらに備え、
前記制御装置は、ユーザにより提示されたマルチメディアファイルの再生に応じて他の通信端末から受信されるフィードバック情報に基づいて、前記参加通信端末の前記ユーザの前記格付け情報を更新することを特徴とする請求項１乃至５の何れか１項に記載の通信端末。
【請求項７】
前記制御装置によってアクセス可能であるとともに、マルチメディアファイルの格付け情報を保存するデータベースをさらに備え、
前記制御装置は、前記マルチメディアファイルの再生に応じて他の通信端末から受信されるフィードバック情報に基づいて、前記マルチメディアファイルの前記格付け情報を更新することを特徴とする請求項１乃至６の何れか１項に記載の通信端末。
【請求項８】
前記マルチメディアファイルは、第１のファイル形式で前記参加通信端末から受信され、
前記制御装置は、前記マルチメディアファイルを第２のファイル形式に変換するともに、前記マルチメディアファイルの再生を前記第２のファイル形式で実行することを特徴とする請求項１乃至７の何れか１項に記載の通信端末。
【請求項９】
前記制御装置は、前記マルチメディアファイルが前記マルチメディアファイル識別子に含まれている記述に一致するかどうかを判定するために前記マルチメディアファイルを検査し、前記マルチメディアファイルが前記マルチメディアファイル識別子に一致していなければ、前記マルチメディアファイルを前記再生リストから取り除くことを特徴とする請求項１乃至８の何れか１項に記載の通信端末。
【請求項１０】
前記再生リストは、第１のタイプのマルチメディアファイルをリストする第１の再生リストを備え、
前記制御装置は、第１のタイプとは異なる第２のタイプのマルチメディアファイルをリストする第２の再生リストを保持することを特徴とする請求項１乃至９の何れか１項に記載の通信端末。
【請求項１１】
前記制御装置は、前記第１の再生リストと前記第２の再生リストとから同時にマルチメディアファイルを再生することを特徴とする請求項１０に記載の通信端末。
【請求項１２】
前記制御装置は、前記第１の再生リストと前記第２の再生リストとから得られるマルチメディアファイルの再生を交互に行うことを特徴とする請求項１０に記載の通信端末。
【請求項１３】
前記制御装置は、前記通信モジュールを介して複数の参加通信端末と接続を確立し、前記複数の参加通信端末のうちのそれぞれの参加通信端末に常駐しているそれぞれの参加者のマルチメディアファイルに対応する複数の参加者のマルチメディアファイル識別子を前記複数の参加通信端末から受信し、前記参加者のマルチメディアファイル識別子の各々を前記再生リストに追加し、再生を行うために前記参加者のマルチメディアファイルを前記それぞれの参加通信端末の各々から取り出すことを特徴とする請求項１乃至１２の何れか１項に記載の通信端末。
【請求項１４】
前記制御装置は、前記参加者のマルチメディアファイルをストリーミングファイルとして前記参加通信端末から取り出し、実行することを特徴とする請求項１乃至１３の何れか１項に記載の通信端末。
【請求項１５】
前記制御装置は、前記参加者のマルチメディアファイルを前記参加通信端末から取り出し、前記参加者のマルチメディアファイルを前記通信端末に保存し、その後、前記参加者の保存済みマルチメディアファイルの再生を実行することを特徴とする請求項１乃至１４の何れか１項に記載の通信端末。
【請求項１６】
前記制御装置は、前記再生リストによって示される前記マルチメディアファイルをメディアセンタにおいて再生するために、再生信号を前記メディアセンタへ送信することを特徴とする請求項１乃至１５の何れか１項に記載の通信端末。
【請求項１７】
前記マルチメディアファイルのうちの少なくとも１つのファイルは第１のファイル形式で前記参加通信端末から受信され、
前記制御装置は、前記マルチメディアファイルを第２のファイル形式に変換し、該第２のファイル形式で前記再生信号を前記メディアセンタへ送信することを特徴とする請求項１６に記載の通信端末。
【請求項１８】
前記再生信号は、アナログ信号を含むことを特徴とする請求項１６又は１７に記載の通信端末。
【請求項１９】
スピーカと表示画面とをさらに備え、
前記制御装置は、前記再生リストによって示される前記マルチメディアファイルを前記スピーカ及び前記表示画面の少なくとも何れかを用いて再生することを特徴とする請求項１乃至１８の何れか１項に記載の通信端末。
【請求項２０】
前記制御装置は、前記再生リストによって示される前記マルチメディアファイルを前記少なくとも１つの参加通信端末において再生するために、少なくとも１つの参加通信端末へ再生信号を送信することを特徴とする請求項１乃至１９の何れか１項に記載の通信端末。
【請求項２１】
前記制御装置は、前記参加通信端末に保存された、利用可能なマルチメディアファイルを示すマルチメディアカタログリストを前記参加通信端末から受信し、前記利用可能なマルチメディアファイルの中から選択するユーザ入力を受信し、選択された前記利用可能なマルチメディアファイルを前記再生リストに追加することを特徴とする請求項１乃至２０の何れか１項に記載の通信端末。
【請求項２２】
前記制御装置は、前記参加通信端末の前記再生リストを表示するために前記再生リストを表すリスト信号を前記参加通信端末へ送信することを特徴とする請求項１乃至２１の何れか１項に記載の通信端末。
【請求項２３】
前記通信モジュールは、ダイレクト・ポイント・ツー・ポイント・インタフェースを介して他の通信端末と通信を行い、
前記制御装置は、前記通信モジュールを介して前記参加通信端末との前記接続を確立し、前記参加者のマルチメディアファイル識別子を前記参加通信端末から受信し、前記ダイレクト・ポイント・ツー・ポイント・インタフェースを介してすべて再生するために、前記参加者のマルチメディアファイルを前記参加通信端末から取り出すことを特徴とする請求項１乃至２２の何れか１項に記載の通信端末。
【請求項２４】
前記通信モジュールは、短距離通信用送信機を備え、
前記制御装置は、前記参加通信端末との前記接続を確立し、前記参加者のマルチメディアファイル識別子を前記参加通信端末から受信し、前記短距離通信用送信機を介してすべて再生するために、前記参加者のマルチメディアファイルを前記参加通信端末から取り出すことを特徴とする請求項１乃至２３の何れか１項に記載の通信端末。
【請求項２５】
前記通信モジュールは、無線通信モジュールを備え、
前記制御装置は、前記無線通信モジュールを介して前記参加通信端末と無線接続を確立することを特徴とする請求項１乃至２４の何れか１項に記載の無線通信端末。
【請求項２６】
ホストの通信端末を用いてマルチメディア再生リストを提供する方法であって、
前記ホストの通信端末と参加通信端末との間で接続を確立するステップと、
再生すべきマルチメディアファイルを示す再生リストを前記ホストの通信端末を用いて保持するステップと、
前記参加通信端末に保存されている参加者のマルチメディアファイルに対応する参加者のマルチメディアファイル識別子を前記ホストの通信端末において前記参加通信端末から受信するステップと、
前記参加者のマルチメディアファイル識別子を前記再生リストに追加するステップと、
少なくとも１つの基準に従って自動的に前記再生リストの優先順位を決定するステップと、
前記参加者のマルチメディアファイルの再生を行うために前記参加通信端末から取り出し、前記再生リストによって示される前記マルチメディアファイルの再生を実行するステップと
を含むことを特徴とする方法。
【発明の詳細な説明】
【技術分野】
【０００１】
本発明は、電子装置に関し、特に、オーディオファイルと、ビデオファイルと、画像ファイルとのうちの少なくとも何れかのようなマルチメディアファイルを再生するための電子装置、方法、及びコンピュータプログラムに関するものである。
【背景技術】
【０００２】
無線通信端末（セルラ電話機などの）のような電子装置は、デジタルオーディオファイルの保存と再生を行うために広く使用されている。さらに、電子装置は、デジタル画像ファイルとデジタルビデオファイルの少なくとも何れかのような他のタイプのマルチメディアファイルの保存に用いることができる。マルチメディアファイルは、オーディオ情報、ビジュアル情報又はテキスト情報を含む任意の他のタイプのファイルを含むものであってもよい。例えば、本明細書で使用されているように、「マルチメディア」ファイルは、オーディオファイル、画像ファイル、ビデオファイルのうちの少なくとも何れかのような一般的マルチメディアファイルに加えて、あるいは、これらの代わりに、ＭＭＳ又はＰＰＴメッセージファイルを含むものであってもよい。
【０００３】
デジタルオーディオファイルは一般に、ＭＰ３、ＡＩＦＦのような圧縮済みのデジタル形式と、他のデジタル形式の少なくとも何れかの形式で保存される。移動電子装置にとって利用可能な限られた電力量に起因して、デジタルオーディオファイルは、一般に、個人用ヘッドホンと、電源が供給されないスピーカの少なくとも何れかを介して低出力レベルで再生され、これによって、一人だけ又は比較的少数の人々がオーディオファイルを聴くことが可能となる。電源が供給される増幅スピーカ及びドッキング・ステーションを用いて、より高いパワーレベルでオーディオファイルの再生を行うことも可能である。しかし、このような装置は、専ら特別のハードウェアインタフェースにのみに適しているか、限られた数のリスナー用としてのみまだ有用なものと考えられる。
【０００４】
移動電子装置によっては、デジタル画像ファイルとデジタルビデオファイルの少なくとも何れかの表示／再生を行う能力を有するビデオ画面並びに関連するドライバ回路を含むものもある。しかし、小型、低出力、携帯性のうちの少なくとも何れかの一般的要件に起因して、移動電子装置には、一般に、単独の個人又は多くても数人の人々によってしか視聴できない狭いビデオ画面が含まれている。
【発明の概要】
【発明が解決しようとする課題】
【０００５】
一般的な移動電子装置に関連する制限を考慮して、このような装置のユーザは、（ＰＣやラップトップ、テレビ、オーディオ受信機などの）メディアセンタのような他の装置の無線通信端末に保存されているマルチメディアファイルの再生を望む場合がある。他の例では、移動通信端末のユーザが他の無線通信端末でマルチメディアファイルの再生を望んでいる場合もある。このマルチメディアファイルの再生は、相手方の装置が好適な通信モジュールを装備していれば、ケーブル又は（ブルートゥース（登録商標）接続などの）無線リンクを介して、相手方の装置と接続された電子装置により実現することが可能となる。上記通信モジュールは、組込み型モジュールや補助（例えばプラグイン）モジュールであってもよい。１以上の移動電子装置から（単複の）再生装置へマルチメディアファイルを１つずつ送信することが可能であり、この再生装置は、マルチメディアファイルが受信されると、これらのマルチメディアファイルを再生するように構成することが可能である。
【課題を解決するための手段】
【０００６】
本発明の実施形態によれば、通信端末は通信モジュールと制御装置とを備える。この通信モジュールは通信インタフェースを介して他の通信端末と通信を行う。上記制御装置は、通信モジュールを介して参加通信端末と接続を確立し、再生すべきマルチメディアファイルを示す再生リストを保持し、参加通信端末に常駐している参加者のマルチメディアファイルを特定する参加者のマルチメディアファイル識別子を参加通信端末から受信し、参加者のマルチメディアファイル識別子を再生リストに追加し、少なくとも１つの基準に従って自動的に再生リストの優先順位を決定し、その後、参加者のマルチメディアファイルを再生用として参加通信端末から取り出して、再生リストによって示されるマルチメディアファイルの再生を実行する。いくつかの実施形態では、通信端末と参加通信端末との少なくとも何れかは無線通信端末を含んでもよい。
【０００７】
上記制御装置は、マルチメディアファイルの中に含まれているメタデータに基づいて自動的に再生リストの優先順位を決定してもよい。例えば、上記制御装置は、作成された日付、ファイル形式、ファイルサイズ、コンテンツの格付け、又は再生リスト内のマルチメディアファイルリストに関連づけられたジャンルの比較に基づいて自動的に再生リストの優先順位を決定してもよい。
【０００８】
制御装置は、マルチメディアファイルの速さに基づくか、参加通信端末のユーザの識別子に基づくかの少なくとも何れかに基づいて、自動的に再生リストの優先順位を決定してもよい。
【０００９】
通信端末は、制御装置によってアクセス可能であるとともに、参加通信端末のユーザの格付けを保存するデータベースをさらに備えてもよく、さらに、制御装置は、ユーザにより提示されたマルチメディアファイルの再生に応じて、他の通信端末から受信したフィードバック情報に基づいて参加通信端末のユーザの格付けを更新してもよい。
【００１０】
通信端末は制御装置によってアクセス可能であるとともに、マルチメディアファイルの格付けを保存するデータベースをさらに備えてもよく、さらに、制御装置は、マルチメディアファイルの再生に応じて他の通信端末から受信されるフィードバック情報に基づいてマルチメディアファイルの格付けを更新してもよい。
【００１１】
マルチメディアファイルは第１のファイル形式で参加通信端末から受信してもよく、さらに、制御装置はこのマルチメディアファイルを第２のファイル形式に変換し、マルチメディアファイルの再生を第２のファイル形式で実行してもよい。
【００１２】
制御装置は、マルチメディアファイルを検査して、該マルチメディアファイルがマルチメディアファイル識別子に含まれている記述に一致しているかどうかを判定してもよい。そして、制御装置は、マルチメディアファイルがマルチメディアファイル識別子に一致していなければ、マルチメディアファイルを再生リストから取り除いてもよい。
【００１３】
再生リストは、第１のタイプのマルチメディアファイルをリストする第１の再生リストを含んでもよく、制御装置は、第１のタイプとは異なる第２のタイプのマルチメディアファイルをリストする第２の再生リストを保持してもよい。制御装置は第１の再生リストと第２の再生リストとから同時にマルチメディアファイルを再生してもよい。制御装置は、第１の再生リストと第２の再生リストとから得られるマルチメディアファイルの再生を交互に行ってもよい。
【００１４】
制御装置は、複数の参加通信端末と接続を確立し、複数の参加通信端末のうちのそれぞれの参加通信端末に常駐しているそれぞれの参加者のマルチメディアファイルに対応する複数の参加者のマルチメディアファイル識別子を複数の参加通信端末から受信し、参加者のマルチメディアファイル識別子の各々を再生リストに追加し、再生用として参加者のマルチメディアファイルをそれぞれの参加通信端末の各々から取り出してもよい。
【００１５】
いくつかの実施形態によれば、制御装置は、参加者のマルチメディアファイルをストリーミングファイルとして参加通信端末から取り出して、実行する。
【００１６】
いくつかの実施形態によれば、制御装置は、参加者のマルチメディアファイルを参加通信端末から取り出して、参加者のマルチメディアファイルを通信端末に保存し、参加者の保存済みマルチメディアファイルの再生を実行する。
【００１７】
制御装置は、メディアセンタにおいて再生リストにより示されるマルチメディアファイルを再生するための再生信号をメディアセンタへ送信してもよい。上記マルチメディアファイルのうちの少なくとも１つのマルチメディアファイルを第１のファイル形式で参加通信端末から受信し、制御装置はマルチメディアファイルを第２のファイル形式に変換し、第２のファイル形式で再生信号をメディアセンタへ送信してもよい。いくつかの実施形態では、再生信号はアナログ信号を含むものであってもよい。
【００１８】
いくつかの実施形態によれば、通信端末はスピーカと表示画面とを備える。制御装置は、再生リストによって示されるマルチメディアファイルをスピーカと表示画面の少なくとも何れかを用いて再生する。
【００１９】
制御装置は、少なくとも１つの参加通信端末において再生リストにより示されるマルチメディアファイルを再生するために、少なくとも１つの参加通信端末へ再生信号を送信してもよい。
【００２０】
制御装置は、参加通信端末に保存された利用可能なマルチメディアファイルを示すマルチメディアファイル・カタログリストを参加通信端末から受信し、利用可能なマルチメディアファイルの中から選択するユーザ入力を受信し、この選択された利用可能なマルチメディアファイルを再生リストに追加してもよい。
【００２１】
いくつかの実施形態によれば、制御装置は、参加通信端末の再生リストを表示するために、再生リストを表すリスト信号を参加通信端末へ送信する。
【００２２】
いくつかの実施形態によれば、通信モジュールは、ダイレクト・ポイント・ツー・ポイント・インタフェースを介して他の通信端末と通信を行う。制御装置は、参加通信端末と接続を確立し、参加者のマルチメディアファイル識別子を参加通信端末から受信し、ダイレクト・ポイント・ツー・ポイント・インタフェースを介して参加者のマルチメディアファイルをすべて再生するために参加通信端末から取り出す。
【００２３】
いくつかの実施形態によれば、通信モジュールは短距離通信用送信機を備える。制御装置は、参加通信端末と接続を確立し、参加者のマルチメディアファイル識別子を参加通信端末から受信し、短距離通信用送信機を介してすべて再生するために参加者のマルチメディアファイルを参加通信端末から取り出す。短距離通信用送信機はブルートゥース（登録商標）送信機であってもよい。
【００２４】
本発明の他の実施形態によれば、ホストの通信端末を用いてマルチメディアファイルの再生リストを提供する方法は、ホストの通信端末と参加通信端末との間で接続を確立するステップと、再生すべきマルチメディアファイルを示す再生リストをホストの通信端末を用いて保持するステップと、参加通信端末に保存されている参加者のマルチメディアファイルに対応する参加者のマルチメディアファイル識別子をホストの通信端末において参加通信端末から受信するステップと、参加者のマルチメディアファイル識別子を再生リストに追加するステップと、少なくとも１つの基準に従って自動的に再生リストの優先順位を決定するステップと、参加者のマルチメディアファイルを再生用として参加通信端末から取り出し、再生リストによって示されるマルチメディアファイルの再生を実行するステップとを含む。
【００２５】
図面及び以下の推奨実施形態についての詳細な説明を参照することにより、本発明のさらなる特徴、利点、及び詳細は当業者によって理解されよう。このような説明は本発明の単なる例示にすぎない。
【図面の簡単な説明】
【００２６】
【図１】本発明のいくつかの実施形態に係る移動無線通信端末及び例示の基地局トランシーバを示す概略図である。
【図２】本発明のいくつかの実施形態に係る方法を例示するフローチャートである。
【図３】図１の移動無線通信端末を含む本発明のいくつかの実施形態に係るマルチメディアファイル再生システムを示す概略図である。
【図４】本発明のいくつかの実施形態に係る図１の移動無線通信端末のディスプレイを示す概略図である。
【図５】図１の移動無線通信端末を含む本発明の他の実施形態によるマルチメディアファイル再生システムを示す概略図である。
【図６】本発明の他の実施形態によるマルチメディアファイルの再生システムを示す概略図であり、この再生システムにはメディアセンタのホスト端末が含まれている。
【図７】本発明の他の実施形態によるマルチメディアファイル再生システムの概略図であり、この再生システムには図１の移動無線通信端末が含まれている。
【発明を実施するための形態】
【００２７】
次に、本発明の実施形態を示す添付図面を参照しながら、本発明についてさらに詳細に説明する。しかしながら、本発明が本明細書の記載に限定されるものであると解釈すべきではない。むしろこれらの実施例は、この開示が完全で完璧なものとなるように、そして、本発明の範囲を当業者に十分に伝えるために提供するものである。同一の参照番号は全図面を通して同一の要素を示すものとする。
【００２８】
本明細書で使用されているように、「を備えている（comprising）」又は「を備える（comprises）」という用語はオープンエンドスタイルの用語であって、記述した１以上の特徴、数値、エレメント、ステップ、構成要素を含むものであるが、１以上の他の特徴、数値、構成要素、機能又はこれらのグループの存在又は追加を排除するものではない。
【００２９】
本明細書で使用されているように、「〜と〜との少なくとも何れか（and／or）」という用語は、１以上の関連づけられ、リストされた項目のうちの任意の、及び、すべての組み合わせを含むものとする。
【００３０】
本明細書で使用されているように、ラテン語のフレーズ「例えば（exempli gratia）」に由来する通常用いられる略語「ｅ．ｇ．（例えば）」を用いて、一般的な例又は前述の項目の例を導入したり、指定したりすることができるが、この略語はそのような項目の限定を意図するものではない。ラテン語のフレーズ「id est（すなわち）」に由来する通常用いられる略語「ｉ．ｅ．（即ち）」が本明細書で使用されている場合、この略語を用いて、より一般的に列挙したもののなかから特定の項目を指定することができる。
【００３１】
本明細書で使用されている用語法は特定の実施形態について単に説明することを目的とするものであって、本発明を限定することを意図するものではない。本明細書で使用されているように、文脈が別様に示していない限り、単数形を示す「ａ」、「ａｎ」及び「ｔｈｅ」は複数形も同様に含むことを意図するものとする。
【００３２】
別段の規定がない限り、本明細書で使用されている（技術的用語と科学的用語とを含む）すべての用語は、本発明が属している技術分野の通常の当業者によって共通に理解されるものと同じ意味を有するものとする。一般に使用される辞書に定義されているような用語は、関連する技術分野の文脈における意味と一致する意味を有するものと解釈すべきであり、本明細書で明示的に別段の定義がない限り、理想化した意味に解釈したり、過度に形式的な意味に解釈したりすべきではないことはさらに理解されよう。
【００３３】
ある要素が、他の要素に対して「接続される（connected）」又は「結合される（coupled）」と記載されている場合、それは、直接連結又は接続されていることも可能であるが、他の要素が介在していてもよいことは理解されよう。逆に、ある要素が、他の要素に対して「直接連結される（directly coupled）」又は「直接接続される（directly connected）」と記載されている場合、他の要素が何も介在していないと理解すべきである。さらに、「接続される（connected）」又は「結合される（coupled）」という記載は無線での接続又は結合を含みうるものとする。
【００３４】
よく知られた機能や構成は、簡潔で明快な説明とするために、本明細書では詳細には記述しない。
【００３５】
本発明は、方法と、電子装置と、コンピュータプログラムとのうちの少なくとも何れかとして実施することができる。したがって、本発明は、ハードウェアに組み込まれた構成と、ソフトウェア（ファームウェア、常駐ソフトウェア、マイクロコードなどを含む。）に組み込まれた構成との少なくとも何れかの構成で実施することができる。この構成は、本明細書では一般に「回路」又は「モジュール」と呼ぶ場合がある。さらに、本発明は、命令実行システムにより使用するために又は命令実行システムに関連して使用するために、コンピュータ使用可能プログラムコード又はコンピュータ可読プログラムコードを実装したコンピュータで使用可能な記憶媒体又はコンピュータ可読記憶媒体上のコンピュータプログラムの形態をとってもよい。本明細書の文脈では、コンピュータで使用可能な媒体又はコンピュータ可読媒体は、命令実行システム、設備、又は装置により又はこれらとともに使用されるプログラムを、収容し、保存し、通信し、伝播し、又は転送できるあらゆる媒体であってもよい。
【００３６】
方法及び通信端末を示す概略図と動作説明図との少なくとも何れかの図を参照しながら、本発明に係る実施形態について説明する。この点に関して、個々のブロックは、（単複の）特定された論理機能を実現する１以上の実行可能な命令を備えたモジュール、セグメント、又はコードの一部を表すことができる。理解すべきことだが、概略図と動作説明図の少なくとも何れかの個々のブロックと、概略図と動作説明図の少なくとも何れかの図のブロックとの組み合わせは、無線周波数と、アナログハードウェアと、デジタルハードウェアとのうちの少なくとも何れかと、プログラム命令との少なくとも何れかによって実現することができる。これらのプログラム命令は制御装置へ提供される。この制御装置は、１以上の汎用プロセッサと、特定用途のプロセッサと、ＡＳＩＣと、他のプログラム可能なデータ処理装置とのうちの少なくとも何れかを含むことができ、それによって、制御装置と他のプログラム可能なデータ処理装置との少なくとも何れかを介して実行される命令によって、概略図と単複の動作ブロックの少なくとも何れかで指定される機能／動作を実現する手段が生成される。代替の実施形態によっては、上記ブロックに記されているこの機能／動作は動作説明図で述べた順序から行われるものもある。例えば、連続して示される２つのブロックは実際にはほぼ同時に実行することも可能であるし、あるいは、これらのブロックが関係する機能／動作に応じて逆の順序で実行されることも時としてある。
【００３７】
これらのコンピュータプログラム命令は、コンピュータで使用可能なメモリ又はコンピュータ可読メモリに保存され、コンピュータ又は他のプログラム可能なデータ処理装置に対して特定の方法で機能するように指示してもよい。それにより、コンピュータで使用可能なメモリ又はコンピュータ可読メモリに保存された命令は、フローチャートと、概略図のブロックとの少なくとも何れかにおいて特定された機能を実行する命令を含むコンピュータプログラムを生成することになる。
【００３８】
コンピュータで使用可能な媒体又はコンピュータ可読媒体は、たとえば、電子的、磁気的、光学的、電磁的、赤外線の、又は半導体のシステム、設備、装置、又は伝播媒体である。コンピュータ可読媒体のさらに詳細な例（非包括的なリスト）には以下の媒体が含まれる：ハードディスク、光記憶装置、インターネットやイントラネットをサポートするような送信媒体、磁気記憶装置、携帯用コンピュータのディスケット、ランダムアクセスメモリ（ＲＡＭ）、リードオンリメモリ（ＲＯＭ）、消去可能なプログラム可能リードオンリメモリ（ＥＰＲＯＭ又はフラッシュメモリ）、及びコンパクトディスク・リードオンリメモリ（ＣＤ−ＲＯＭ）。
【００３９】
本明細書で使用されているように、「電子部品」とは、受動的電気コネクタ等と対比されるような能動素子を意味する。電子部品はプロセッサを含むものであってもよい。
【００４０】
本明細書で使用されているように、「ストリームされる（streamed）」又は「ストリームする（streaming）」とは、ソングファイルのようなファイルが、デジタル信号を介して受信装置へ連続して送られることを意味する。そして、この受信装置において、上記オーディオファイル又はソングファイルは好適な受信側アプリケーションを介して同時に再生される。このデジタル信号は通常バッファされる。
【００４１】
本明細書で使用されているように、「通信端末（communication terminal）」とは通信信号を受信／送信するように構成された端末を含むが、これのみに限定されるわけではない。そして上記通信信号は、公衆交換電話網（ＰＳＴＮ）、デジタル加入者回線（ＤＳＬ）、デジタルケーブル、又はその他のデータ接続／ネットワークを介するような有線接続を介する場合と、例えばセルラネットワーク、衛星ネットワーク、無線ローカルエリアネットワーク（ＷＬＡＮ）とその他の通信端末との少なくとも何れかとつながる無線インタフェースとを介する場合との少なくとも何れかの接続を介して受信／送信が行われる。
【００４２】
無線インタフェースを通じて通信を行うように構成されているとき、本願では通信端末を「無線通信端末」又は「無線端末」と称する。
【００４３】
本明細書で使用されているように、「移動端末」とは、携帯可能なものであってもよいし、可搬性を有するものであってもよいし、（航空、海上又は陸上ベースの）輸送手段に設置されているものであってもよいし、あるいは、地球上か、宇宙空間かの少なくとも何れかにおける（単複の）他の任意の場所において、ローカルな形態か、分散された形態かの何れかの形態で作動するように配置されているか、構成されているかの何れかの状態の移動端末であってもよい。
【００４４】
本明細書で使用されているように、マルチメディアファイルの「再生（play）」及び「プレイバック（playback）」は一般的な意味で用いられ、スピーカを介してオーディオファイルを再生するステップか、表示画面上にデジタル画像を表示するか、表示画面上にビデオファイルを表示するかの少なくとも何れか、あるいは、ビデオファイルに関連づけられるか、ビデオファイルに組み込まれるかの少なくとも何れかの形のオーディオファイルをスピーカを介して同時に再生するステップかの少なくとも何れかのステップを含むことができる。
【００４５】
図１乃至図７を参照しながら、本発明のいくつかの実施形態について以下で説明する。本発明のいくつかの実施形態では、１以上のマルチメディアファイル識別子を含むマルチメディアファイルの再生リストにおいて特定されるマルチメディアファイルを再生し、管理する能力を備えたホストのセンタ装置が提供される。１以上の遠方に配置された無線通信端末からマルチメディアファイルを取り出すことが可能であり、ホストの装置はそれ自体無線通信端末であってもよい。さらに、ホストの装置は、マルチメディアファイルの再生リストにおけるマルチメディアファイルの自動か、手動かの少なくとも何れかによる優先順位の決定を可能にする。ホストの装置に関連づけられたホストの装置側においてか、メディアセンタ装置上においてかの少なくとも何れかにおいてマルチメディアファイルの再生を行うことが可能である。
【００４６】
ここで図１を参照してわかるように、本発明のいくつかの実施形態に係る例示の移動無線通信端末１０Ａが示されている。本発明の実施形態は無線通信端末に関連して例示されているものであるとはいえ、本発明が有線モバイルと有線非モバイルの少なくとも何れかの方式の通信端末及び方法を含むものであってもよいことは理解できよう。無線端末１０Ａは、１以上の他の無線端末とデータを通信するように構成されるが、この構成には、上記無線端末間での直接無線通信インタフェースを介する構成と、１以上のセルラ基地局を経由して他の無線通信インタフェースを介する構成と、無線ローカルエリア・ネットワーク（ＷＬＡＮ）ルータを経由して他の無線通信インタフェースを介する構成とのうちの少なくとも何れかの構成がある。
【００４７】
上記無線端末１０Ａは、図１に示すように、無線電話通信システム２の一部を形成する移動無線電話機であってもよい。このシステム２は移動無線通信端末１０Ａと基地局トランシーバとを含み、当該基地局トランシーバは無線通信ネットワーク５の一部である。本発明のいくつかの実施形態では、ネットワーク５は、セルラネットワークにおいて個々のセルを定義する（単複の）無線トランシーバを含む基地局トランシーバを含み、さらに、無線リンクプロトコルを用いて（インタフェース７を介して）セル内の移動端末１０Ａ及び他の移動端末と通信を行う。本発明のいくつかの実施形態では、例えば、移動体交換センタや他の装置を経由して多くの基地局トランシーバを接続して、無線通信ネットワーク５を定義できることは理解されよう。
【００４８】
例示の実施形態の移動端末１０Ａは、携帯可能なハウジングアセンブリ１２、制御装置３０、通信モジュール３２、メモリ３４を含む。移動端末１０Ａは、ディスプレイ２０、スピーカ２４（すなわち、サウンドトランスデューサ）を含むユーザインタフェース２２（すなわち、マン・マシンインタフェース）をさらに含む。移動端末１０Ａの上述の構成要素は従来型の多くの移動端末の中に含まれているものであってもよく、前述の構成要素の機能は当業者には一般に周知のものである。移動端末１０Ａは、マルチメディアファイル管理モジュール４０をさらに含み、このモジュールはメモリ３４に保存することができる。
【００４９】
ディスプレイ２０は、任意の好適な表示画面アセンブリであってもよい。例えば、表示画面２８は、（ライティングパネルなどの）補助光源の有無にかかわらず液晶ディスプレイ（ＬＣＤ）であってもよい。場合に応じて、移動端末１０Ａは、ある特定品質のビデオコンテンツを再生する能力を備えるようにすることが可能である。例えば、移動端末１０Ａは、１６：９又は４：３のような特別のアスペクト比を有するビデオストリームを表示するように構成してもよい。複数の標準規格のビデオフォーマットが移動端末に対して提案されているが、この中には、クォータＶＧＡ（ＱＶＧＡ、３２０×２４０画素）、共通中間フォーマット（ＣＩＦ、３６０×２８８画素）及びクォータ共通中間フォーマット（ＱＣＩＦ、１８０×１４４画素）が含まれている。さらに、移動端末によっては、種々の表示能力を有する複数の表示画面を有することができるものもある。したがって、移動端末１０Ａは１以上の各種表示フォーマットでビデオを表示することが可能である。
【００５０】
上記ユーザインタフェース２２は任意の好適な（単複の）入力装置を含むものであってもよい。該入力装置は、例えば、（タッチスクリーンなどの）タッチ起動式又はタッチパネル式装置と、ジョイスティックと、キーボード／キーパッドと、ダイアルと、単複の指向性キーと、ポインティング装置（マウス、トラックボール、タッチパッドなど）とのうちの少なくとも何れかを含むものとなる。スピーカ２４は入力されたオーディオ信号に応答して音を生成する。ユーザインタフェース２２は、音声プロセッサに結合されたマイクを含むものであってもよく、この音声プロセッサはマイクへの入射音に応答して音声データストリームを生成するように構成される。
【００５１】
制御装置３０は無線端末１０Ａの種々の機能をサポートすることも可能である。制御装置３０は、例えば、任意の市販プロセッサ又はカスタムマイクロプロセッサであってもよい。使用中、無線端末１０Ａの制御装置３０はディスプレイ２０に表示画像を生成することができる。しかし、いくつかの実施形態では、別個の信号プロセッサとビデオチップ（不図示）の少なくとも何れかを無線端末１０Ａにおいて提供することができるとともに、ディスプレイ２０上に表示画像を生成するように構成することができる。
【００５２】
メモリ３４は、（デジタルオーディオファイルと、画像ファイルと、ビデオファイルとのうちの少なくとも何れかのファイルなどの）デジタルマルチメディアファイルのようなデジタル情報信号及びデータを保存するように構成される。
【００５３】
上記通信モジュール３２は、１以上の無線インタフェース（本明細書（図１及び図３）に説明されているような無線インタフェース７、１１２、１１４、１１６、１２２、１３４など）を通じて、本明細書に説明されているような遠方にある他の無線端末へデータを通信するように構成される。通信モジュール３２は、セルラ通信モジュールと、ダイレクト・ポイント・トゥー・ポイント接続モジュールと、ＷＬＡＮモジュールとのうちの少なくとも何れかを含むものであってもよい。
【００５４】
セルラ通信モジュールの場合、無線端末１０Ａは、１以上のセルラ通信プロトコルを用いてネットワーク５の（単複の）基地局を介して通信を行うことが可能となる。上記のようなセルラ通信プロトコルとして、例えば、最新型移動電話サービス（ＡＭＰＳ）、ＡＮＳＩ−１３６、グローバル・スタンダード・フォー・モバイル（ＧＳＭ）通信、汎用パケット無線サービス（ＧＰＲＳ）、次世代ＧＳＭ用拡張型データレート（ＥＤＧＥ）、符号分割多元接続（ＣＤＭＡ）、広帯域ＣＤＭＡ、ＣＤＭＡ２０００、及び汎用移動体通信システム（ＵＭＴＳ）がある。セルラ基地局は移動体電話中継局（ＭＴＳＯ）無線ネットワークに接続することができ、ＰＳＴＮと他のネットワークの少なくとも何れかと接続することが可能である。
【００５５】
ダイレクト・ポイント・ツー・ポイント接続モジュールは、ダイレクトＲＦ通信モジュール又はダイレクトＩＲ通信モジュールを含むものであってもよい。ダイレクトＲＦ通信モジュールはブルートゥース（登録商標）・モジュールを含むものであってもよい。ブルートゥース（登録商標）・モジュールを用いて、無線端末１０Ａはダイレクト・ポイント・ツー・ポイント・インタフェースを通じてアドホックなネットワークを介して通信を行うことができる。
【００５６】
ＷＬＡＮモジュールの場合、無線端末１０Ａは通信プロトコルを用いてＷＬＡＮルータ（ルータ１２０（図３）など）を経由して通信を行うことができる。この通信プロトコルは、８０２．１１ａ、８０２．１１ｂ、８０２．１１ｅ、８０２．１１ｇと、８０２．１１ｉのうちの少なくとも何れかを含むものであってもよいが、これらのみに限定されるわけではない。
【００５７】
通信モジュール３２は、一般には、送信機回路と受信機回路とを有するトランシーバを含むことができる。これら送信機回路と受信機回路は、発信する無線周波数信号をそれぞれ（ネットワーク５、ルータあるいは他の端末装置などへ直接）送信し、音声信号とデータ信号のような無線周波数信号を、アンテナを介して（例えばネットワーク５やルータから、あるいは、他の端末装置へ直接）受信する。通信モジュール３２は、ブルートゥース（登録商標）送受信機とＷＬＡＮ送受信機のような短距離用送信機と受信機を含むものであってもよい。上記アンテナは、本発明の範囲から逸脱することのない埋め込みアンテナ、伸縮自在アンテナ又は当業者に周知の任意のアンテナであってもよい。無線端末１０Ａとネットワーク５、ルータあるいは他の端末との間で送信される無線周波数信号は（着呼用ページング信号／メッセージなどの）トラフィック信号と制御信号の双方の信号を含むものであってもよい。これらの信号を用いて他のパーティ又は宛先との通信が確立され、保持される。上記無線周波数信号はまた、例えばセルラデジタルパケットデータ（ＣＤＰＤ）情報のようなパケットデータ情報を含むものであってもよい。さらに、上記トランシーバは、ＩＲポートを介して他の電子装置へ／から赤外線信号を送信／受信するように構成された赤外線（ＩＲ）トランシーバを含むものであってもよい。
【００５８】
上記無線端末１０Ａは、有線又はケーブルを介して他の端末装置と電気的に結合して、デジタル通信信号を上記端末間で送信するように構成されたものであってもよい。無線端末１０Ａは、静止画像とビデオデータストリームの少なくとも何れかを入射光に基づいて生成するように構成されたカメラ装置のようなさらに他の部品を含むものであってもよい。
【００５９】
本発明のいくつかの実施形態に係る（無線端末１０Ａなどの）無線通信端末を用いてマルチメディアファイルの再生リストを提供する方法について、図２のフローチャートを参照しながら以下で説明する。図２の実施形態を参照してわかるように、本方法はホストの無線通信端末と参加無線通信端末との間で無線接続を確立する（ブロック７０）ステップを含む。ホストの無線通信端末は、例えば、一般的なハンドヘルド型移動端末よりも多くの視聴者のためにマルチメディアファイルを再生する機能を有する無線通信装置を含むものであってもよい。例えば、ホストの無線通信端末は、広いフォーマットの表示画面と高出力スピーカの少なくとも何れかを含むか、広いフォーマットの表示画面と高出力スピーカの少なくとも何れかに結合されたものであってもよい。しかし、他の実施形態では、ホストの無線通信端末はハンドヘルド型移動端末を含む場合もある。
【００６０】
再生リストはホストの無線通信端末を用いて保持される（ブロック７２）。再生リストは再生すべきマルチメディアファイルを示す。様々なタイプのマルチメディアファイル用に、ホストの無線通信端末において別々の再生リストを保持してもよい。例えば、ホストの無線端末は、オーディオファイルと、ビデオファイルと、静止画像ファイルとのうちの少なくとも何れかに対して別々の再生リストを保持することができる。これらの別々の再生リストはホストの無線端末において個々に管理することが可能であり、このホストの無線端末は、例えば、同時的にか、連続的にか、同時と連続との組み合わせかの少なくとも何れかの形態で別々の再生リストからマルチメディアファイルを再生することができる。例えば、ホストの無線通信端末は、オーディオファイルをスピーカで再生しながら、ビデオ画面上に静止画像を表示するように構成することができる。同様に、ホストの無線通信端末は、別々の静止画像表示画面に静止画像を同時に表示しながらビデオファイルを表示するための専用のビデオ画面を含むか、専用のビデオ画面に結合されたものであってもよい。オーディオファイル内の音響部分と、ビデオファイル内の音響部分との間の干渉を減らすために、ホストの無線通信端末は、静止画像再生リストから静止画像を同時に表示しながら、オーディオとビデオの少なくとも何れかのファイルをそれぞれのビデオ及びオーディオの再生リストから順番に再生してもよい。
【００６１】
ホストの無線通信端末において参加者のマルチメディアファイル識別子を参加無線通信端末から受信する（ブロック７４）。参加者のマルチメディアファイル識別子は、参加無線通信端末に保存された参加者のマルチメディアファイルに対応するか、この参加者のマルチメディアファイルを示す。ホストの無線通信端末は、マルチメディアファイル識別子によって示されるマルチメディアファイルのタイプを決定する（ブロック７５）。例えば、ホストの無線通信端末は、マルチメディアファイル識別子がオーディオファイル、ビデオファイル又は静止画像ファイルを示しているかどうかの判定を行う。続いて、参加者のマルチメディアファイル識別子は対応する再生リストに追加される（ブロック７６）。
【００６２】
次に、以下でさらに詳細に記載するように、１以上の優先順位基準に従うホスト端末のマルチメディアファイル管理モジュールによって、自動的に再生リストの優先順位を決定することが可能となる（ブロック７８）。その後、再生リストによって示されるマルチメディアファイルの再生が実行される（ブロック８０）。マルチメディアファイルの再生の実行には、参加者の再生用マルチメディアファイルを参加無線通信端末から取り出すステップが含まれる。
【００６３】
いくつかの実施形態によれば、ホストの無線通信端末と複数の参加無線通信端末との間で接続が確立され、ホストの無線通信端末は、複数の参加者のマルチメディアファイル識別子を複数の参加無線通信端末から受信するとともに、参加者のマルチメディアファイル識別子の各々を再生リストに追加し、参加者の再生用マルチメディアファイルをそれぞれの参加無線通信端末の各々から取り出す。いくつかの実施形態によれば、ホストの無線通信端末と参加無線通信端末間での通信は、ブルートゥース（登録商標）無線ＲＦ接続のようなダイレクト・ポイント・ツー・ポイント・インタフェースを介して達成される。いくつかの実施形態によれば、ホストの無線通信端末と参加無線通信端末間での通信は、ＷＬＡＮ又はセルラベースのシステムを経由して行われるような間接インタフェースを介して達成される。他の実施形態についての以下の説明から本発明のさらなる側面及び実施形態が明らかになる。
【００６４】
図３を参照してわかるように、マルチメディアファイル再生システム１００Ａがこの図に示されている。システム１００Ａは、移動無線通信端末１０Ａ（本明細書において「ホストの無線通信端末」又は「ホスト端末」とも称する。）と、複数の追加の参加無線通信端末１０Ｂ、１０Ｃ、１０Ｄ、１０Ｅ（本明細書において「参加無線通信端末」又は「参加通信端末」とも称する。）とを含む。
【００６５】
端末１０Ａに関して上述したように端末１０Ｂ〜Ｅを構成することができる。端末１０Ｂ〜Ｅは個々に無線通信モジュール３２とマルチメディアファイル管理モジュール４０とを含むものである。しかし、それぞれのマルチメディアファイル管理モジュール４０は、装置の意図する機能に対応して個々の端末１０Ａ〜Ｅについて別様に構成することも可能である。いくつかの実施形態によれば、端末１０Ｂ〜Ｅのすべて又はいくつかは移動無線通信端末である。いくつかの実施形態によれば、端末１０Ａ〜Ｅのすべて又はいくつかはハンドヘルド型移動無線通信端末である。
【００６６】
メディアセンタ１３０は、オーディオ信号（デジタルオーディオ信号など）を対応するサウンドに変換する装置と、静止画と動画の少なくとも何れかを表示するための装置との少なくとも何れかを含むものであってもよい。メディアセンタ１３０は、例えば、ＰＣ又はラップトップ、テレビ、オーディオ受信機、ステレオ機器などを含むものであってもよい。例示のメディアセンタ１３０は、無線通信モジュール１３２、１以上のビデオ表示画面１３８、及びサウンドトランスデューサ（スピーカ）１３６を含む。無線通信モジュール１３２は、メディアセンタ１３０と一体化することができるか、あるいはスウェーデンのソニーエリクソン社から個々に入手可能なブルートゥース（登録商標）・メディアビューアＭＭＶ−１００モジュール又はブルートゥース（登録商標）・メディアビューアＭＭＶ−２００モジュールのような補助用又は差込み式のプラグイン無線通信モジュールであってもよい。ホストの無線通信端末１０Ａ及びメディアセンタ１３０が、システム１００の別個のエレメントとして図３に示されてはいるが、いくつかの実施形態では、メディアセンタ１３２においてホストの無線通信端末１０Ａの機能を提供することが可能であり、これによってメディアセンタ１３２は追加の参加無線通信端末１０Ｂ〜Ｅと直接通信することが可能となる。
【００６７】
例示の使用例を用いてシステム１００Ａについて以下で説明する。ある集まりのユーザグループが個々に端末１０Ａ〜Ｅのうちの１台の端末を有しているものとする。種々のマルチメディアファイルが１以上の（一般に２以上の）端末１０Ａ〜Ｅに保存されている。ユーザは、自分のマルチメディアファイルをメディアセンタ１３０で再生することによって、自分の移動端末に保存されている音楽ビデオと、歌と、静止画像とのうちの少なくとも何れかを含むマルチメディアファイルを集まりにいるその他のユーザたちと共有したいと思う場合がある。利用可能な公知の技術によって、（ブルートゥース（登録商標）などを介して）自分のマルチメディアファイル（すなわち音楽オーディオファイル）を個々のユーザに一度に１ファイルずつメディアセンタ１３０へ送信させることによって上記を達成することが可能となる。しかし、この方法は、マルチメディアファイルを提供する個々のユーザからの極めて大きなかつアクティブなインタラクションを必要することが考えられる。このような関与は、（通信相手などの）設定側にとって不便なものとなるか、役立たないものとなるかの少なくとも何れかになる可能性がある。
【００６８】
本発明の実施形態によれば、マルチメディアファイルの再生リストを作成し、保持するとともに、ホスト端末１０Ａを用いてファイルの再生を実行することによって上述の欠点を解決することが可能となる。一般に、個々の端末１０Ａ〜Ｅは、（ソフトウェア又はファームウェアアプリケーションなどの）端末にインストールされた適当なマルチメディアファイル管理モジュール４０を有している。
【００６９】
ホスト端末１０Ａは、マスタ端末すなわちホスト端末となるように選択され、参加通信端末１０Ｂ〜Ｅはスレーブ端末すなわち参加通信端末として個々に指定される。ホスト端末１０Ａの制御装置３０は、参加通信端末１０Ｂ〜Ｅの各端末と無線接続を確立する（すなわち通信結合を行う）。いくつかの実施形態によれば、この無線接続は、無線通信インタフェース接続であり、いくつかの実施形態によれば、ＲＦ接続であり、いくつかの実施形態によれば、ブルートゥース（登録商標）接続である。これらの接続は公知の方法で確立することができる。例えば、ブルートゥース（登録商標）接続の場合、参加（スレーブ）端末１０Ｂ〜Ｅをサーチ可能な／発見可能な状態に設定することができ、ホスト（マスタ）端末１０Ａは問い合わせを送出して、利用可能な参加（スレーブ）端末１０Ｂ〜Ｅを識別して、ピコネット又はパーソナルエリアネットワークを形成する。
【００７０】
例示のように、ホスト端末１０Ａは、ダイレクト・ポイント・ツー・ポイント無線インタフェースを通じて、又は、リンク１１２、１１４、１１６をそれぞれ通じて、参加通信端末１０Ｂ、１０Ｃ、１０Ｄと通信を行い、さらに、ＷＬＡＮルータ１２０を経由して無線インタフェース又はリンク１１８、１２２を介して参加通信端末１０Ｅと通信を行う。いくつかの実施形態によれば、インタフェースは、（ブルートゥース（登録商標）などの）直接的なインタフェース、又は（ＷＬＡＮルータ又はセルラネットワーク５などを介するような）間接的なインタフェースである種々の無線インタフェースの組み合わせであってもよいことは理解できよう。いくつかの想定される実施形態によれば、マルチメディアファイル共有処理手順を実行するためにホスト端末１０Ａと参加通信端末１０Ｂ〜Ｅとの間で提供される信号のすべては、ダイレクト・ポイント・ツー・ポイント無線インタフェースを通じて提供される。いくつかの想定される実施形態によれば、マルチメディアファイル共有処理手順を実行するために、ホスト端末１０Ａと参加通信端末との間で提供される信号のすべては、ブルートゥース（登録商標）・インタフェースのような無線周波数（ＲＦ）インタフェースを通じて提供される。
【００７１】
これらの接続の確立前又は確立後に、ホスト端末１０Ａは任意の好適な方法によって有効な参加通信端末を識別し、指定することができる。いくつかの実施形態によれば、ホスト端末１０Ａは、送信勧誘（invitation）のポーリング（poll）を行うか、（ホスト端末のブルートゥース（登録商標）信号の処理範囲内に在る潜在的参加通信端末などの）潜在的参加通信端末のうちの選択したグループへ送信勧誘を送信する。潜在的参加通信端末は勧誘を受け入れる旨の応答を行うことによりグループに加わる選択を行うことができる。上記とは別に、又は、上記に加えて、ホスト端末１０Ａは、参加通信端末から頼んでいないのに送りつけられた参加要求を受け入れる場合がある。ホスト端末１０Ａを用いて、参加すること（すなわち、マルチメディアファイルを再生リストに提供すること）が許される潜在的参加通信端末のリストのような特定のグループを規定するようにしてもよい。ホスト端末１０Ａはまた、潜在的参加通信端末によって発信が許されるマルチメディアファイルのタイプを規定するようにしてもよい。
【００７２】
図３に例示の実施形態において、ホスト端末１０Ａは、無線インタフェース又はリンク１３４を介してメディアセンタ１３０とも通信可能に結合され、無線マルチメディアファイルデータ信号を通信モジュール１３２へ提供する。上記とは別に、ホスト端末１０Ａは、有線ケーブル又は信号ケーブルを用いてメディアセンタ１３０と接続することができる。上述したように、メディアセンタ１３０はそれ自体、潜在的参加者に問合せを行うか、直接的にか、間接的にかの少なくとも何れかの形態で参加要求を参加移動端末から受け入れるかの少なくとも何れかを行うように構成されたホスト端末として機能することができる。
【００７３】
ホスト端末１０Ａと参加通信端末１０Ｂ〜Ｅとの間で接続が確立されるとすぐに、個々の参加者は参加者の端末１０Ｂ〜Ｅに保存されている対応するマルチメディアファイルを示す、参加者の１以上のマルチメディアファイル識別子を送信することができる。追加の又は代替の例において、ホスト端末１０Ａは、参加通信端末１０Ｂ〜Ｅをポールして、参加通信端末１０Ｂ〜Ｅに保存されている１以上の利用可能なマルチメディアファイルのリストを得ることができる。参加通信端末１０Ｂ〜Ｅを送信するマルチメディアファイル管理モジュール４０は、（単複の）マルチメディアファイル識別子の選択と送信とを容易にするユーザインタフェースを提供することができる。例えば、モジュール４０は、ホスト端末１０Ａへ送信するための（単複の）マルチメディアファイルを選択するための、利用可能な保存済みマルチメディアファイルとチェックボックスのリストを生成することができる。さらに、又は、代替例において、参加通信端末１０Ｂ〜Ｅのユーザがホスト端末と共有することを望むマルチメディアファイルは、共有フォルダ又はディレクトリのような指定フォルダ又はディレクトリに保存することができる。その場合、ホスト端末１０Ａと接続が行われる度に参加通信端末１０Ｂ〜Ｅのユーザが共有ファイルを示す必要はなくなることが考えられる。
【００７４】
ホスト端末１０Ａは参加者のマルチメディアファイル識別子を参加通信端末１０Ｂ〜Ｅから受信し、マルチメディアファイル識別子の各々が示すマルチメディアファイルのタイプを決定する。このタイプ決定処理は、例えば、ファイル名のファイルタイプの拡張子を検査することにより達成することができる。いくつかの実施形態では、マルチメディアファイル識別子には、この識別子によって示されるマルチメディアファイルのタイプを示す明白な表示が含まれている。ホスト端末１０Ａのマルチメディアファイル管理モジュール４０は、ホスト端末１０Ａによって受け入れられる個々のマルチメディアファイルのタイプを示すこれらのマルチメディアファイル識別子のホスト側再生リストを作成し、保持する。ホスト端末１０Ａとメディアセンタ１３０との少なくとも何れかによってサポートされていないマルチメディアのタイプをマルチメディアファイル識別子が示している場合、ホスト端末１０Ａは、マルチメディアファイル識別子を発信した参加通信端末１０Ｂ〜Ｅへエラーメッセージを返信することができる。ホストの再生リストは、ホスト端末１０Ａか、関連するメディアセンタ１３０かの少なくとも何れかにおいて再生されるマルチメディアファイルを示すリストである。
【００７５】
個々のマルチメディアファイル管理モジュール４０によって、図４に示すように関連づけられた端末１０Ａ〜Ｅにディスプレイ１５０が設けられる。ホスト端末１０Ａに設けられたディスプレイは参加通信端末１０Ｂ〜Ｅに設けられたディスプレイとは異なるものであってもよい。例えば、機能管理に関係するディスプレイ１５０の一部は参加通信端末のディスプレイから省くことができる。上記とは別に、マルチメディアファイル管理モジュール４０は、参加通信端末１０Ｂ〜Ｅにディスプレイを設けないようにすることもできる。
【００７６】
例示の実施形態では、ディスプレイ１５０には再生リストフィールド１５２と制御ボタン１５４（ソフトキーなど）とが含まれる。制御ボタン１５４は一般にホストの端末ディスプレイに表示される。例示のオーディオファイル再生リスト１５６は再生リストフィールド１５２に表示される。再生リスト１５６は一列ずつの一連のマルチメディアファイル識別子１５６Ａを含み、個々の識別子は、それぞれのマルチメディアファイルに対応する。オーディオファイルの場合、個々のマルチメディアファイル識別子には、アーティストと、ファイル名と、関連づけられたマルチメディアファイルに対応する再生時間と、識別子を発信した参加者の識別子とが含まれる。さらに多量の情報か、さらに少量の情報か、異なる情報かのうちの少なくとも何れかの情報も同様に提供できることは理解できよう。
【００７７】
ホストは、例えば、制御ボタン１５４を用いて、マルチメディアファイルリスト１５６により示されるマルチメディアファイルの再生を選択的に管理することができる。例えば、「再生」及び「停止」ボタンを用いて、メディアセンタ１３０へのマルチメディアファイルの送信の開始及び停止を行うことができる。「移動」ボタンは、再生リスト１５６内のマルチメディアファイル識別子１５６Ａの順序を手動で変更（すなわち、関連づけられたマルチメディアファイルの再生順序を変更）するのに用いることができる。「削除」ボタンはマルチメディアファイル識別子１５６Ａを再生リスト１５６から削除するのに用いることができる。「詳細」ボタンは、マルチメディアファイル識別子１５６Ａによって識別されるファイルについての追加の情報を表示するために用いることができる。「ランダム・ミックス」ボタンは、ランダムにすなわち他の非シーケンシャルな順序でマルチメディアファイルの再生をホスト端末１０Ａに実行させる（すなわち、マルチメディアファイルをメディアセンタ１３０へ送信する）のに用いることができる。
【００７８】
他の機能性を提供することも可能である。例えば、ホスト端末１０Ａによって、ユーザは（マルチメディアファイル提供参加者、マルチメディアファイルの長さなどの）１以上の選択された属性に基づいてマルチメディアファイル識別子１５６Ａの順序を変更することが可能となる。ホスト端末１０Ａは、参加通信端末１０Ｂ〜Ｅのうちのどの参加通信端末がマルチメディアファイル識別子を再生リスト１５６に追加することが許されているかを示すように構成することができる。参加通信端末１０Ｂ〜Ｅは、マルチメディアファイル識別子の追加に加えてマルチメディアファイルリスト１５６の編集か、修正を可能にすることができる。この場合、ホスト端末１０Ａは、当該ホストが参加通信端末１０Ｂ〜Ｅのうちのどの参加通信端末にマルチメディアファイルの再生リスト１５６の修正権限（すなわち、参加通信端末の再生リストの編集機能のオン／オフを行う権限）を与えるか、どの参加通信端末に上記修正権限を与えないかの選択を行うことができるように構成することができる。
【００７９】
本発明のいくつかの実施形態では、ホスト端末１０Ａは、再生リストの順序を自動的に管理する。例えば、ホスト端末１０Ａは、ホスト端末１０Ａのユーザによって設定された好みに基づいて、特定の再生リスト内のマルチメディアファイル識別子を自動的にリオーダするようにしてもよい。
【００８０】
特に、ホストのマルチメディアファイル管理モジュールは、参加移動端末１０Ｂ〜Ｅからマルチメディアファイル識別子を受信した順序から再生リストの順序を変更するように構成することができる。場合に応じて、ホスト端末１０Ａのマルチメディアファイル管理モジュール４０は、１またはそれ以上の基準に基づいて或る種のメディアファイルを完全に省くようにしてもよい。例えば、マルチメディアファイル管理モジュールは、（芸術的な好みに基づいて）或る種の再生順序がより適切なものになるように決定することができる。さらに、マルチメディアファイル管理モジュールは、ファイルが再生に適していないと判断した場合、再生リストからそのファイルを省くことができる。例えば、オーディオファイル又はビデオファイルは、（万人向けを表すＥ、１０代向けを表すＴ、成人向けを表すＡなどのような）そのファイル向けの適当な視聴者を特定するための、当該ファイルに関する格付け情報を有することができる。オーディオファイルの形でメタデータとしてこの格付け情報を保存するか、遠方の場所にあったり、ローカルな場所にあったりするデータベース１２７から、ホスト端末１０Ａが、マルチメディアファイル識別子の形で提供される情報に基づいてこの格付け情報を取り出すかの少なくとも何れかを行うことが可能である。ホスト端末１０Ａのユーザは許容できる格付けを確立することが可能となり、マルチメディアファイル識別子の形で特定されたファイルが許容できる格付けの限界を超えていれば、再生リストからそのファイルを除去／除外することができる。
【００８１】
いくつかの実施形態では、メディアファイル及び参加ユーザに割り当てられた特徴に基づくか、ホスト端末１０Ａが作成し、準拠することができる１組の原則に基づくかの少なくとも何れかに基づいて再生リストの自動的優先順位づけを決定することができる。
【００８２】
ある特定の実施形態では、ホスト端末１０Ａは、自動的優先順位づけのオンとオフを行うか、異なるオペレーティングプロファイル（operating profile）を所望のタイプの優先順位に応じてユーザが選択できるようにするかの少なくとも何れかのように構成される。
【００８３】
マルチメディアファイルに関連する利用可能な任意のメタデータを用いて、作成した日付、ファイル形式、ファイルサイズ、（画像用の）オリエンテーション、（クラシック、ハードロックなどの音楽上の）分類、保存位置、ユーザによる格付けなどの優先順位づけを実行することができる。さらに、この優先順位づけはマルチメディアファイル自体から抽出されるデータに基づいて行うことも可能である。例えば、オーディオファイルを分析して、歌の速さ（テンポ）を決定することができ、再生する歌の順序づけを行う際にこの情報を用いることができる。
【００８４】
ユーザの個々の特徴に基づいてさらに優先順位づけを行うようにすることも可能である。例えば、ユーザのアクション又はユーザに関する他の特徴に基づいて参加移動端末１０Ｂ〜Ｅのユーザに異なる特徴を割り当てるようにしてもよい。例えば、特定の参加者が非常にアクティブであれば、その参加者たちの‘予想される’専門的知識は高いものである可能性がある。同様に、自分の装置により多くの音楽を保存している人々はさらに多くの‘専門的知識’を有していると考えられる。歌の順序づけを行う際に、ユーザの信頼性も考慮する場合がある。例えば、ユーザが不適切と考えられなかった複数のファイルを事前に送信していた場合、このユーザはより高い信頼性を有していると見なすことができる。
【００８５】
参加者の特徴は、時間の経過に伴って蓄積され、ホスト端末１０Ａによってアクセス可能なデータベース１２７のようなデータベースに保存することができる。いくつかの実施形態では、参加者の特徴は参加通信端末１０Ｂ〜Ｅからのインタラクティブな応答／フィードバック情報を用いて蓄積することができる。例えば、参加通信端末１０Ｂ〜Ｅのマルチメディアファイル管理モジュールは現在の選択に関するフィードバック情報をホスト端末１０Ａへ提供するためのインタフェースを含むことができる。例えば、マルチメディアファイル管理モジュールは、現在の選択に対するユーザの承認又は不承認を示すユーザ（１〜１０など）による格付け情報を提供できるインタフェースを含むことができる。特定のマルチメディアの選択に対する応答を収集し、これを表にして、マルチメディアファイルと、マルチメディアファイルを発信した参加者の少なくとも何れかに関連づけられるメトリックを提供することができる。特定のマルチメディアファイルが高い格付けを受けた場合、そのファイルは、たとえそれが後で提示されたものであっても、再生リストにおいて優先権を与えるようにするものと仮定することができる。同様に、特定のユーザがその発信するマルチメディアファイルに対して高い格付けを一貫して受けている場合、このユーザによるその後の発信に対するより高い優先順位を再生リストの中で与えるようにすることができる。逆に、特定のマルチメディアファイルが低い格付けを受けた場合、そのファイルに対して以前より低い優先順位をそれ以降与えるようにすることができ、そして、ユーザがその発信するマルチメディアファイルに対して低い格付けを一貫して受けるようになれば、そのユーザによる以降の発信に対して低い優先順位が与えられるようになることが考えられる。
【００８６】
再生リストを動的にソートするために他の原則を用いることも可能である。例えば、ホスト端末のマルチメディアファイル管理モジュールは、再生される歌の速さ（テンポ）の反復が過多になるのを避けるために再生リストファイルをソートするように構成することができる。例えば、ホスト端末は、アップビート（高いテンポ）とダウンビート（低いテンポ）の歌とを散在させるか、高いテンポと低いテンポの歌の所望の比率を提供するかの少なくとも何れかを行うように構成することができる。いくつかの実施形態では、自分のスタイルの分類とテンポとの少なくとも何れかに基づいて歌を自動的にリオーダすることが可能であり、それによってテンポの変化に伴う論理的フローを生じるようにすることができる。さらに、スタイル分類に基づいてファイルを受け入れたり、拒絶したりすることも可能である。
【００８７】
さらに、ホスト端末１０Ａは、ファイルを発信する参加者の過去の発信の実施に基づいてマルチメディアファイルの優先順位を上下させるように構成することができる。例えば、さらなる参加を奨励するために比較的アクティブでない参加者による発信を優先させる方が望ましい場合もある。場合に応じて、マルチメディアファイルを優先させ、それによって特定の参加者から出されるほんのわずかしかない一定数のファイルを続けて再生する方が望ましい場合もある。さらに、信頼できないユーザを完全に禁じるようにすることも可能である。
【００８８】
いくつかの実施形態では、作成された時刻に基づいてホスト端末１０Ａへ送信される画像を自動的にリオーダし、（これらの画像を再生するためにユーザが要求を送信した時点とは対照的に）時系列順に画像を再生することができる。不適切な画像を事前に送信したユーザからの画像は自動的に禁止してもよい。同様に、ビデオクリップを自動的にリオーダすることができ、それによってより長いクリップとより短いクリップとが散在するようにしてもよい。
【００８９】
本明細書を読むとき、マルチメディア再生リストを動的にリオーダする他の規則、メカニズム及びアプローチが当業者にとって明らかになる。
【００９０】
ホスト端末１０Ａが再生モードのとき、ホスト端末１０Ａの制御装置３０は、その後再生すべきマルチメディアファイルの識別子１５６Ａを識別することになる。特定されるマルチメディアファイル識別子は、次に再生すべきマルチメディアファイル識別子であってもよい。次いで、ホスト端末１０Ａはマルチメディアファイル要求を対応する参加通信端末１０Ｂ〜Ｅのうちの１つへ送信して、マルチメディアファイル識別子に対応するマルチメディアファイルを取り出す。
【００９１】
続いて、対応する参加通信端末は、（参加通信端末に保存されている）識別済みマルチメディアファイルのコピーをホスト端末１０Ａへ送信する。いくつかの実施形態によれば、参加通信端末は、その時ホスト端末１０Ａに（メモリ３４内などに）一時的に保存されているマルチメディアファイルのコピーとしてマルチメディアファイルをホスト端末１０Ａへ送信する。他の実施形態によれば、参加通信端末は、ストリーミングマルチメディアファイルとしてマルチメディアファイルをホスト端末１０Ａへ送信する。いくつかの実施形態によれば、ホスト端末と参加通信端末間での要求信号及びマルチメディアファイル信号は無線で送信され、また、いくつかの実施形態によれば、ブルートゥース（登録商標）のような直接無線ＲＦ接続を介して送信される。
【００９２】
ホスト端末１０Ａはマルチメディアファイルを検査して、ファイルに関連づけられたマルチメディアファイル識別子の形で提供される記述に上記マルチメディアファイルが一致しているかどうかの判定を行うことができる。例えば、ホスト端末１０Ａは、ファイルが正しいファイルであるか、正しいサイズのファイルであるかを調べるためのチェックを行うことができる。場合に応じて、そして、特にオーディオファイルの場合、ホスト端末１０Ａは、デジタル音楽ファイルのような種々のオーディオファイルに関する情報を含むローカルな場所にあるか、遠方にあるデータベース１２７を調べて、マルチメディアファイルが適当な長さと、ファイルタイプと、ファイル名とのうちの少なくとも何れかを有しているかどうかの判定を行うことができる。ホスト端末１０Ａがマルチメディアファイル識別子と実際のファイルとの間に不一致情報を検出した場合、ホスト端末１０Ａは、例えば、ファイルを再生する前にファイルを拒絶するか、ホストにより承認を受けるためにファイルにフラグを立てることができる。
【００９３】
次いで、ホスト端末１０Ａの制御装置３０は、参加通信端末からホスト端末へ、又は、ホスト端末からメディアセンタ１３０へ送信を行うことによって取り出されたマルチメディアファイルの再生を実行することができる。メディアセンタ１３０にこのマルチメディアファイルを保存して、再生することができる。上記とは別に、マルチメディアファイルは、例えば、発呼側参加通信端末からホスト端末１０Ａへストリームされるマルチメディアファイルとして、メディアセンタ１３０へストリームすることができる。ホスト端末１０Ａに割り当てられたメモリ空間が不十分であるか、ホスト端末１０Ａ上へのマルチメディアファイルの保存が防止されているか、あるいは不正な操作になっているかの少なくとも何れかの状態になっている場合、参加通信端末からホスト端末へ、あるいは、ホスト端末からメディアセンタ１３０への少なくとも何れかの方向にマルチメディアファイルをストリームすることが望ましいか、又は必要となる場合がある。いくつかの実施形態によれば、このマルチメディアファイルは、ストリームされるか、全体として保存されるかにかかわらず、再生中又は再生後に、ホスト端末１０Ａから自動的に（すなわちユーザの介在を伴うことなく）消去される。いくつかの実施形態では、ホスト端末１０Ａはマルチメディアファイルに関連するデジタル権利管理（ＤＲＭ）情報のチェックを行うことができる。マルチメディアファイルに付与されている著作権が、ホスト端末１０Ａとメディアセンタ１３０の少なくとも何れかによる媒体の再生を十分にサポートしていなければ、ホスト端末１０Ａは適当な通知をマルチメディアファイルを発信した参加通信端末１０Ｂ〜Ｅへ送信することができ、マルチメディアファイルを再生リストから取り除くことができる。
【００９４】
いくつかの実施形態では、メディアセンタ１３０への送信用として、マルチメディアファイルをホスト端末１０Ａによってアナログ信号に変換することができるが、その場合メディアセンタ１３０はデジタル処理回路を含む必要はない。他の実施形態では、メディアセンタ１３０は、特定のフォーマットを有するマルチメディアファイルを処理する能力を備えたものであってもよい。例えば、メディアセンタ１３０は、ＭＰ３、ＷＭＦ、ＪＰＥＧ、ＭＰＥＧなどのような複数の標準化ファイル形式のうちの何れかのファイル形式を有するマルチメディアファイルを処理できるようにしてもよい。しかし、１以上の参加通信端末１０Ｂ〜Ｅが、メディアセンタ１３０によってサポートされていないファイル形式で保存されたファイルを有している場合がある。その場合、ホスト端末１０Ａは、マルチメディアファイルをメディアセンタ１３０へ送信する前に、参加通信端末１０Ｂ〜Ｅによって提供されている形式から、メディアセンタ１３０によりサポートされている形式へマルチメディアファイルのファイル形式を変換するための適切なコーダ／デコーダ（コーデック）ソフトウェアによって構成することができる。
【００９５】
ホスト端末１０Ａの制御装置３０は、前述の個々のマルチメディアファイル識別子１５６Ａに対して、上述のステップを順番にかつ自動的に（すなわちユーザの介在を伴うことなく）実行することができる。ホスト端末１０Ａが上記のようにマルチメディアファイル１５６を実行するとき、ホストは再生リスト１５６を所望のように変更することができる。また、いくつかの実施形態によれば、ホスト端末１０Ａの制御装置３０が再生リスト１５６を通じて実行する場合に、参加通信端末１０Ｂ〜Ｅは新しいマルチメディアファイル識別子をマルチメディアファイルリスト１５６に追加することができる。いくつかの実施形態によれば、新規の参加通信端末がグループに参加し、ホスト端末１０Ａが再生リスト１５６を通じて実行する場合、参加通信端末はマルチメディアファイル識別子を発信することが可能となる。例えば、上述の１以上の基準に従ってこのような新たな発信を自動的に優先させるようにしてもよい。
【００９６】
上述したように、ホスト端末１０Ａは、例えば個々のマルチメディアファイルタイプに対する１つの再生リストとして複数の再生リストを保持することができる。ホスト端末１０Ａは、同時に再生するか、連続的に再生するかの少なくとも何れかの形態で再生リスト内のマルチメディアファイルの再生を行う（あるいはメディアセンタ１３０に再生させる）ことができる。例えば、ホスト端末１０Ａは、静止画像の再生リストと、オーディオファイルの再生リストとを保持することができる。ホスト端末は２つの再生リストを同時に処理することが可能であり、例えば、スピーカシステムを用いて、メディアセンタ１３０に（歌などの）オーディオファイルを同時に順番に再生させながら、画像再生リストから得られる画像をディスプレイ上に順番にメディアセンタ１３０に表示させるようにすることができる。いくつかの実施形態では、ホスト端末１０Ａは２つの再生リストを順番に処理することができる。例えば、ホスト端末１０Ａは、オーディオファイルの再生リストから得られるオーディオファイルの再生と、ビデオファイルの再生リストから得られるビデオファイルの再生との間で再生を交互に行うことができ、一般に、オーディオトラックを含むビデオファイルをオーディオのみのファイルと同時に再生しないようにすることが実質的に可能になる。しかしながら、ホスト端末１０Ａは、（クロスフェードなどの場合のように）１つのファイルが終了し、他のファイルが開始するとき、オーディオファイルから得られるオーディオを他のオーディオファイル又はビデオファイルから得られるオーディオとミックスするように構成することも可能であることは理解されよう。
【００９７】
ホスト端末１０Ａは、再生リスト間でファイルを１つずつ交互に再生するように構成することができる。上記とは別に、ホスト端末１０Ａは、例えば、個々のビデオファイル間で一定数のオーディオファイルを再生するように構成することも可能である。いくつかの実施形態では、ビデオファイルと比較されるオーディオファイルの相対的再生回数は、それぞれの再生リストの中で待ち行列に入れられているコンテンツが再生される分の数に基づいて決められる。例えば、ビデオ再生リストが、待ち行列に入れられている２０分のビデオファイルを含み、オーディオ再生リストが１００分の待ち行列に入れられている歌を含んでいるとすると、オーディオ再生リストから得られる歌の方がビデオ再生リストから得られるビデオファイルよりも約５倍長い時間再生することができることになる。歌とビデオファイルがほぼ同じ長さの再生時間を有していると仮定すると、ホスト端末１０Ａは、ビデオファイルを再生するためにビデオ再生リストへ切り替わる前にオーディオ再生リストからほぼ５つの歌を再生することが可能となる。
【００９８】
その間、ホスト端末１０Ａは、オーディオファイルとビデオファイルとの再生が交互に行われるとき、静止画像ファイルを表示するように構成することができる。いくつかの実施形態では、ホスト端末１０Ａは、一方でオーディオファイルの再生と静止画像の表示とを行うステップと、他方でビデオファイルを再生するステップとの間で交互再生と表示とを行うように構成することができる。
【００９９】
システム１００Ａは、１グループの人々によって選択されたマルチメディアファイルを再生するのに使い勝手のよい、楽しめるメカニズムであって、異なるタイプのマルチメディアファイルを含むメカニズムを提供することができるシステムである。システム１００Ａは、再生実行機能を提供し、さらに、ホスト端末（場合によっては参加通信端末）が、マルチメディアファイルの再生リストを作成し、調整し、制御し、管理する操作のうちの少なくとも何れかの操作を許可する。実際には、例えば、パーティ参加者は、ホスト端末（パーティのホスト自身の移動端末など）に保持されているマルチメディアファイルを自身の参加通信端末からマルチメディアファイルの再生リストへ追加することができる。再生シーケンス時にパーティ参加者のマルチメディアファイルの順番になると、マルチメディアファイルのコピーがホスト端末へ自動的に送信され、再生される。したがって、パーティ参加者は、他のアクションを何も実行する必要はないことになる。いくつかの実施形態に従って、要求信号及びマルチメディアファイル転送信号が（ブルートゥース（登録商標）接続のようなＲＦインタフェースなどの）直接無線接続を介してホスト端末と参加通信端末との間で通信されるとき、パーティ参加者はポケット又はハンドバッグの中に自分の参加通信端末を入れておくだけでよいことになる。処理手順の実行の際に、参加者を追加したり、除去したりすることができる。例えば、参加者がブルートゥース（登録商標）の到達範囲から出ると、ユーザのマルチメディアファイルを再生リストから削除したり、下ろしたりすることができる。
【０１００】
ここで図５を参照してわかるように、ホスト端末１０Ａ及び参加通信端末１０Ｂ〜Ｅを含む、本発明の他の実施形態によるシステム１００Ｂがこの図に示されている。システム１００Ｂは、メディアセンタ１３０が省かれ、ホスト端末１０Ａのスピーカ２４を介して、マルチメディアファイルの再生リスト１５６から得られるマルチメディアファイルの再生が行われるという点でシステム１００Ａ（図２）とは異なるシステムである。
【０１０１】
ここで図６を参照してわかるように、メディアセンタ１３０及び参加通信端末１０Ｂ〜Ｅを含む、本発明の他の実施形態によるシステム１００Ｃがこの図に示されている。システム１００Ｃは、再生リストが確立され、参加通信端末１０Ｂ〜Ｅと通信するメディアセンタ１３０によって再生リストが保持されるという点でシステム１００Ｂ（図５）とは異なるシステムである。さらに、マルチメディアファイルの再生リスト１５６から得られるマルチメディアファイルの再生はスピーカ１３６とメディアセンタ１３０のビデオ表示画面１３８とを介して行われる。
【０１０２】
ここで図７を参照してわかるように、ホスト端末１０Ａ及び参加通信端末１０Ｂ〜Ｅを含む本発明の他の実施形態によるシステム１００Ｄがこの図に示されている。システム１００Ｄは、マルチメディアファイルの再生リスト１５６から得られるマルチメディアファイルの再生が、ホスト端末１０Ａのスピーカ２４を介して、さらに、参加通信端末１０Ｂ〜Ｅのそれぞれのスピーカを介するか、参加通信端末１０Ｂ〜Ｅと動作可能に接続される（例えば、インイヤ型ステレオヘッドセットなどの）１以上のヘッドセットを経由するかの少なくとも何れかによって、行われるという点でシステム１００Ｂ（図５）とは異なるシステムである。さらに詳細には、ホスト端末１０Ａの制御装置３０は、上述の場合と同様に個々のマルチメディアファイルを再生し、さらに、同時再生を行うためにマルチメディアファイルを参加通信端末１０Ｂ〜Ｅへ送信する操作も行う。したがって、ホスト端末１０Ａは、参加通信端末１０Ｂ〜Ｅから得られるマルチメディアファイル識別子を含むマルチメディアファイルの再生リストを作成し、この再生リストを管理し、必要に応じて、マルチメディアファイルのコピーを適当な参加通信端末１０Ｂ〜Ｅから取り出し、マルチメディアファイルのコピーを再生するために参加通信端末１０Ｂ〜Ｅへ配信することになる。いくつかの実施形態によれば、マルチメディアファイル転送信号はホスト端末１０Ａから参加通信端末１０Ｂ〜Ｅへ無線で、そして、いくつかの実施形態によれば、ブルートゥース（登録商標）のような直接無線ＲＦ接続を介して送信される。いくつかの実施形態によれば、マルチメディアファイルは参加通信端末１０Ｂ〜Ｅへストリームされる。ホスト端末１０Ａは、参加通信端末１０Ｂ〜Ｅのうちのどの参加通信端末が再生信号を受信するかをホストが示すことができるように構成してもよく、さらに、マルチメディアファイル識別子を再生リスト１５６へ発信する権限が参加通信端末１０Ｂ〜Ｅのうちのどの参加通信端末によって与えられるかをホストが示すことができるように構成してもよい。そして、これら２つの参加通信端末グループは異なるものであってもよい。
【０１０３】
ホスト端末１０Ａは、ユーザが上述の種々のオプションの中から再生を行うための装置又は装置の組み合わせを選択的に選ぶことを可能にするように構成することができる。例えば、ホスト端末１０Ａは、ホスト端末１０Ａのスピーカ２４のみを介して、ホスト端末１０Ａのスピーカ及び参加通信端末１０Ｂ〜Ｅのスピーカを介して、参加通信端末１０Ｂ〜Ｅのスピーカ及びメディアセンタ１３０などを介して、再生を行うように構成することができる。参加通信端末１０Ｂ〜Ｅのスピーカを介してマルチメディアファイルが再生されるとき、参加通信端末のうちの所定の１人のユーザが当該参加通信端末のスピーカを作動不能にすることができるか、（関連付けられたさらに他のメディアセンタ等などの）他の装置上で再生を行うためにマルチメディアファイルを中継するかの少なくとも何れかを行うことが可能であることは理解できよう。
【０１０４】
ホスト端末１０Ａのさらに他の実施形態によれば、制御装置３０は、参加通信端末から得られるマルチメディアファイルのカタログリストを要求するか、頼んでいないのに送りつけられたこのカタログリストを受け入れるかの少なくとも何れかを行うことができる。マルチメディアファイルのカタログリストには、参加通信端末のマルチメディアファイルの各ファイルを示すマルチメディアファイル識別子か、参加者が利用できるようにしたいと望むこのようなすべてのマルチメディアファイルを示すマルチメディアファイル識別子が含まれている。ホスト端末１０Ａは、その後、ホストが再生リストに追加したいと望むマルチメディアファイルのカタログリストのマルチメディアファイル識別子をホストが選択できるようにすることも可能である。
【０１０５】
本明細書に記載のアプリケーションプログラムは、マルチメディアファイル管理モジュール４０を含む、種々の機能を実現するプログラムを本発明の複数の実施形態によって例示するものである。他のアプリケーションプログラムと追加のアプリケーションプログラムの少なくとも何れかのプログラムを本発明の実施形態に従って利用できることは理解できよう。
【０１０６】
図１は、マルチメディアファイルの管理及び再生を行うために移動端末と他の電子装置との少なくとも何れかにおいて使用できる例示のハードウェア／ソフトウェアのアーキテクチャを例示するものではあるが、本発明がこのような構成のみに限定されるわけではなく、本明細書で説明した処理を実行できる任意の構成を包含することを意図するものであることは理解されよう。例えば、メモリ３４は制御装置３０から分離したものとして示されてはいるが、メモリ３４あるいはその一部は制御装置３０の一部であってもよい。さらに一般的に言えば、特定の諸機能が例示として特定のブロックに示されてはいるが、異なるブロックの機能と該機能の一部の少なくとも何れかの組み合わせと、分割と、削除とのうちの少なくとも何れかを行うことも可能である。さらに、本発明の種々の実施形態に従って、図１のハードウェア／ソフトウェアのアーキテクチャの機能を単一のプロセッサシステム又は複数のプロセッサシステムとして実装することも可能である。
【０１０７】
本開示のおかげで、本発明の精神と範囲から逸脱することなく、当業者が多くの改造や変更を行うことが可能である。したがって、当然のことながら、例示された実施例は単に例示を目的として開示されたものであり、この開示が請求項によって規定される本発明を限定すると考えるべきではないしたがって、請求項は文字通りに記載されている要素の組み合わせだけでなく、実質的に同じ結果を得るために、実質的に同じ方法で、実質的に同じ機能を果たす、等価な全ての要素を含むものとして読まれるべきものである。請求項はこのように、上記に具体的に例示したものや記載したもの、概念的に等価なもの、及び本発明の本質的な概念を取り込んだものを含むものと理解されるべきである。
【図１】
2009540638.tif 000003
【図２】
2009540638.tif 000004
【図３】
2009540638.tif 000005
【図４】
2009540638.tif 000006
【図５】
2009540638.tif 000007
【図６】
2009540638.tif 000008
【図７】
2009540638.tif 000009
【国際調査報告】
2009540638.tif 000010
2009540638.tif 000011
2009540638.tif 000012